(57)【要約】【課題】  内部の空隙の目詰まり等により透水性または排水性機能が低下した透水性舗装および排水性舗装の機能を回復させるにあたり、環境に悪影響を与えることがなく、従来に比しより優れた機能回復効果を得ることができ、かつ、安価で効率的な作業が可能である舗装の機能回復方法を提供する。【解決手段】  透水性舗装または排水性舗装表面に、炭酸水素ナトリウムまたは炭酸水素ナトリウムを主成分とする薬剤と、水または温水とを散布して、透水性舗装または排水性舗装内部の空隙に詰まった土砂類を除去する舗装の機能回復方法である。【選択図】        なし【特許請求の範囲】
【請求項１】
透水性舗装または排水性舗装表面に、炭酸水素ナトリウムまたは炭酸水素ナトリウムを主成分とする薬剤と、水または温水とを散布して、該透水性舗装または排水性舗装内部の空隙に詰まった土砂類を除去することを特徴とする舗装の機能回復方法。
【請求項２】
前記透水性舗装または排水性舗装表面に、粉末状の前記炭酸水素ナトリウムまたは薬剤を散布する散布工程と、散水を行う散水工程と、を含む請求項１記載の舗装の機能回復方法。
【請求項３】
前記粉末状の薬剤として、粉末状の炭酸水素ナトリウムの表面の一部または全部が炭酸ナトリウムまたはその複塩により被覆されているものを用いる請求項２記載の舗装の機能回復方法。
【請求項４】
前記粉末状の薬剤として、副成分として酸性物質を含むものを用いる請求項２記載の舗装の機能回復方法。
【請求項５】
前記散布工程において、前記主成分としての粉末状の炭酸水素ナトリウムと、前記副成分としての粉末状の酸性物質とを、個々に散布する請求項４記載の舗装の機能回復方法。
【請求項６】
前記散布工程において、前記主成分としての粉末状の炭酸水素ナトリウムと、前記副成分としての粉末状の酸性物質とを、混合した後に散布する請求項４記載の舗装の機能回復方法。
【請求項７】
前記散布工程と散水工程との間に、前記透水性舗装または排水性舗装の路盤に振動を与える第一振動付与工程を含む請求項２〜６のうちいずれか一項記載の舗装の機能回復方法。
【請求項８】
前記散水工程の後に、前記透水性舗装または排水性舗装の路盤に振動を与える第二振動付与工程を含む請求項２〜７のうちいずれか一項記載の舗装の機能回復方法。
【請求項９】
最終工程として、前記透水性舗装または排水性舗装内部に滞留した洗浄水を吸引装置により回収する請求項２〜８のうちいずれか一項記載の舗装の機能回復方法。
【請求項１０】
前記散水を、水または温水の高圧噴射により行う請求項２〜９のうちいずれか一項記載の舗装の機能回復方法。
【請求項１１】
前記透水性舗装または排水性舗装表面に、前記炭酸水素ナトリウムまたは薬剤の水溶液を散布する請求項１記載の舗装の機能回復方法。
【請求項１２】
前記炭酸水素ナトリウムまたは薬剤の水溶液の散布後に、前記透水性舗装または排水性舗装の路盤に振動を与える請求項１１記載の舗装の機能回復方法。
【請求項１３】
最終的に、前記透水性舗装または排水性舗装内部に滞留した洗浄水を吸引装置により回収する請求項１１または１２記載の舗装の機能回復方法。
【請求項１４】
前記粉末状の炭酸水素ナトリウムまたは薬剤として、粒度５０〜５００μｍのものを用いる請求項２〜１３のうちいずれか一項記載の舗装の機能回復方法。
【発明の詳細な説明】
【技術分野】
【０００１】
本発明は舗装の機能回復方法（以下、単に「機能回復方法」とも称する）に関し、詳しくは、内部の空隙の目詰まり等により透水性または排水性機能が低下した透水性舗装および排水性舗装の機能を回復させるための舗装の機能回復方法に関する。
【背景技術】
【０００２】
近年、各種路面の舗装として、用途に応じ透水性や排水性を付与した機能性舗装が普及してきている。このうちいわゆる透水性舗装とは、舗装内を水が浸透可能に形成することで、雨水を地中に透過させることを目的とした舗装であり、舗装構造のうち表層および基層の双方が透水性層として形成されている。これに対し、排水性舗装は、舗装内にいったん浸透させた雨水を側溝等に排出することを目的としており、舗装構造のうち表層のみを透水性層として、その下層の基層を不透性層とすることで、表層と基層との境界で排水を行うものである。
【０００３】
透水性舗装は通常、歩道や公園、駐車場などに適用されており、一方、排水性舗装は、車両走行時の水はね防止や騒音の低減などの効果があることから、高速道路や一般道路に広く適用が進められている。これら透水性舗装および排水性舗装において用いられる透水性層は、舗装材料に用いる骨材やバインダ等の選択により、内部に水が透過できる程度の空隙を設けることにより形成される。
【０００４】
ところが、このような透水性舗装および排水性舗装においては、その構造上、経時により透水性層内部の空隙に土砂が詰まって、その機能が失われてしまうという問題がある。これに対し、舗装の機能回復を図るための方法がこれまでに種々検討されてきており、例えば、機械的な洗浄方法として、舗装面に高圧力で水や薬剤を吹き付けることにより、その圧力で空隙内の目詰まり物を押し流す方法が知られている（例えば、特許文献１，２に記載）。この高圧水等を用いる方法は、ブラッシングや真空吸収等を併用するなど様々なバリエーションで行うことが可能であり、専用の特殊車両が開発され、実用化もなされている。機械的な方法としては、その他、超音波振動により目詰まり土砂の破壊を行う洗浄方法も知られている（例えば、特許文献１，２に記載）。
【０００５】
また、化学的な洗浄方法として、例えば、特許文献１には、酸・アルカリ中和反応を利用した排水性舗装の機能回復方法が記載されている。これは、酸性物質とアルカリ性物質とを同時または別々に舗装路面に散布、浸透させて、両者の中和反応により生じる気体を利用して目詰まり物を壊砕し、または浮き上がらせて除去する方法であり、アルカリ性物質および酸性物質としては夫々環境に対して安全なものを選択すべきこと、特に、アルカリ性物質として、環境に対する安全性が保証されている炭酸水素ナトリウムを用いることが好ましいことについても記載されている。さらに、特許文献２には、過酸化水素水を含有する薬剤と過酸化水素を分解する能力を有する薬剤とを使用する透水性舗装の透水性能力回復方法、特許文献３には、過酸化水素水を透水性舗装体の表面に塗布する過程と、過酸化水素水を塗布した透水性舗装体の表面に水を散布しながら、その表面に浮上した粒子を捕捉する透水性舗装体の清掃方法が記載されている。
【特許文献１】特開平１１−２２９３１６号公報（特許請求の範囲、［０００２］等）
【特許文献２】特開平８−２９６２１４号公報（特許請求の範囲、［０００３］等）
【特許文献３】特許２９２２３６６号公報（特許請求の範囲等）
【発明の開示】
【発明が解決しようとする課題】
【０００６】
しかしながら、従来方法のうち高圧力で水や薬剤を吹き付ける洗浄方法は、ある程度の機能回復効果（透水係数の改善効果）は確認されているものの、道路表面からの投射であるために路盤表層を傷めたり、さらに締め固めてしまったりする場合があった。また、舗装内の深部における洗浄効果が得られているかどうかが不明であるという問題もあった。また、超音波振動による洗浄方法も、効果には不明な部分があり、未だ研究段階の技術であるといえる。さらに、この他の物理的（機械的）な効果を期待した技術についても、作業用の特殊車両が高価であるなど、作業効率等を考えると十分なものであるとはいえなかった。
【０００７】
また、特許文献１に記載の酸・アルカリ中和反応を利用する方法の場合、舗装路面に酸性物質を撒くことが必要となるが、これは道路構造物に対するダメージを与えることが懸念される。特に、近年、酸性雨や排気ガスの影響で構造物が酸化するという問題があり、中でも、鉄筋コンクリート構造物の中性化に起因する鉄筋の腐食が社会問題となっている。従って、酸性物質の散布を伴うこの方法は、実用性に欠けるものである。さらに、その他の化学物質による方法として、特許文献２，３に記載されているような、安価な過酸化水素水自体またはそれを含有する物質を用いる方法もあるが、過酸化水素は、活性酸素を作り出す原因物質として人体への影響が懸念されている。その他の界面活性剤などの化学物質についても、自然の生態系などへの影響が懸念されるため、舗装に対する散布用途に望ましいものではない。
【０００８】
そこで本発明の目的は、内部の空隙の目詰まり等により透水性または排水性機能が低下した透水性舗装および排水性舗装の機能を回復させるにあたり、環境に悪影響を与えることがなく、従来に比しより優れた機能回復効果を得ることができ、かつ、安価で効率的な作業が可能である舗装の機能回復方法を提供することにある。
【課題を解決するための手段】
【０００９】
本発明者らは鋭意検討した結果、下記構成とすることにより上記問題を解決できることを見出して、本発明を完成するに至った。
【００１０】
即ち、本発明の舗装の機能回復方法は、透水性舗装または排水性舗装表面に、炭酸水素ナトリウムまたは炭酸水素ナトリウムを主成分とする薬剤と、水または温水とを散布して、該透水性舗装または排水性舗装内部の空隙に詰まった土砂類を除去することを特徴とするものである。
【００１１】
本発明の機能回復方法は、好適には、前記透水性舗装または排水性舗装表面に、粉末状の前記炭酸水素ナトリウムまたは薬剤を散布する散布工程と、散水を行う散水工程と、を含むものとするか、または、前記透水性舗装または排水性舗装表面に、前記炭酸水素ナトリウムまたは薬剤の水溶液を散布することにより、行うことができる。
【発明の効果】
【００１２】
本発明によれば、炭酸水素ナトリウム、いわゆる重曹か、またはこれを主成分とした薬剤を用いて土砂類の除去を行うものとしたことにより、環境に悪影響を与えることなく、従来に比しより優れた機能回復効果を得ることができ、かつ、安価で効率的に作業を行うことのできる機能回復方法を実現することが可能となった。また、本発明において用いる炭酸水素ナトリウムによれば、酸性雨や排気ガスに起因する構造物の酸化を中和する効果を期待できるというメリットも得られる。
【発明を実施するための最良の形態】
【００１３】
以下、本発明の好適な実施の形態について詳細に説明する。
本発明の舗装の機能回復方法においては、透水性舗装または排水性舗装表面に、炭酸水素ナトリウムまたは炭酸水素ナトリウムを主成分とする薬剤と、水または温水とを散布して、これら透水性舗装または排水性舗装内部の空隙に詰まった土砂類を除去する。
【００１４】
具体的には、透水性舗装または排水性舗装表面に、粉末状の炭酸水素ナトリウムまたは炭酸水素ナトリウムを主成分とする薬剤を散布した後（散布工程）、散水を行う（散水工程）手順を用いることができる。まず、散布工程として、粉末状の炭酸水素ナトリウムを排水性・透水性舗装の乾燥路面に散布することで、粉末状の炭酸水素ナトリウムは、それ自体に高い流動性があるため、舗装内の空隙の深部まで流れ込んで、部分的に充填されていく。次いで、散水工程として、その上から路面に散水を行うことで、水は炭酸水素ナトリウムの充填された空隙内に浸透するとともに、炭酸水素ナトリウムを溶かして炭酸水素ナトリウム水溶液を形成する。本発明においては、この水溶液自体のもつ洗浄効果により、舗装の機能回復が図られることとなる。また、炭酸水素ナトリウムを主成分とする薬剤の場合も、同様に散布工程、散水工程を経ることで空隙内において炭酸水素ナトリウム水溶液が形成されるため、同様の洗浄効果が得られるものである。
【００１５】
炭酸水素ナトリウム水溶液の形成により機能回復が図られるプロセスとしては、以下のとおりである。まず、粒状の炭酸水素ナトリウムが水溶液となる過程において、マイクロバブル（気体）が発生し、これにより空隙の目詰まり物が壊砕される。マイクロバブルが発生するメカニズムとしては、路盤が酸性雨や排気ガスの影響により酸性化している場合には、アルカリと酸との反応による中性化反応による効果もあるものと思われるが、特に、炭酸水素ナトリウムとして表面に被覆処理が施されているものを用いた場合には、これが水に溶ける際における被膜殻と内部の炭酸水素ナトリウムとの反応の時間差により、内部圧力が開放されることで生ずる効果もあり、必ずしも明確ではない。
【００１６】
また、本発明に係る炭酸水素ナトリウム水溶液は、弱アルカリ性であるために、目詰まり物の油脂などの汚れに対して乳化による高い洗浄効果を発揮するという特長を有するとともに、金属イオンをキレートする効果があるため、水を超軟水の状態にして、汚れ落ちが良くなる効果も得られる。さらに、ほとんどの悪臭には酸性の性質があるため、これを弱アルカリ性で中和して、消臭する効果もある。従って炭酸ナトリウムを主成分とする薬剤を用いる場合も、主成分と副成分とが混合された水溶液となった状態で、全体として弱アルカリ性となるよう、副成分の含有量を調整することが好ましい。
【００１７】
本発明に用いる炭酸水素ナトリウムまたは薬剤としては、路面および舗装内部の空隙に散布可能な粉末状のものであれば使用可能であるが、特に、施工性の観点からは、表面に被覆処理を施したものを用いることが好ましい。表面に被覆殻を有する炭酸水素ナトリウムを用いることで、前述したマイクロバブルの発生効果を得ることができるとともに、炭酸水素ナトリウムの散布時における流動性を向上させて、舗装内部の空隙に深部まで充填することが可能となる。また、この場合、吸湿を防ぐ効果も得られるため、保存性も良好となる。特に好ましくは、粉末状の炭酸水素ナトリウムの粒子表面の一部または全部が、副成分としての炭酸ナトリウムまたはその複塩で被膜加工されている薬剤を用いる。このような被覆処理がなされた炭酸水素ナトリウムとしては、例えば、チャーチ・アンド・ドワイト社製の商品名アーメックスブラストメディアなどを好適に用いることができる。
【００１８】
また、本発明においては、副成分として酸性物質を含む薬剤を用いることも好適であり、かかる酸性物質としては、例えば、食酢、クエン酸等を挙げることができる。炭酸水素ナトリウムを主成分とする薬剤における酸性物質等の副成分の量は、適宜割合とする。副成分の割合があまり多いと、本発明の所期の効果が損なわれるおそれがある。ここで、主成分である炭酸水素ナトリウムと酸性物質等の副成分とが個別に粉末状で含まれる薬剤を用いる場合には、これら主成分と副成分とは、散布工程において、個々に散布してもよく、また、混合した後に散布してもよい。
【００１９】
なお、炭酸水素ナトリウム自体としては、自然界への影響をより考慮して、天然重曹を用いることがより好ましい。また、本発明に用いる炭酸水素ナトリウムまたは薬剤の粒度としては、特に制限されるものではないが、５０〜５００μｍ程度のものが好適である。従って、薬剤については、副成分として用いるものについても、好ましくは粒度５０〜５００μｍ程度のものとする。
【００２０】
本発明においては、上記散布工程と散水工程との間に、透水性舗装または排水性舗装の路盤に振動を与えることが好ましく（第一振動付与工程）、これにより、粉末状の炭酸水素ナトリウムを、内部空隙のより深部まで流動、浸透させることができる。また、かかる路盤への振動の付与は、散水工程の後に行うことも好ましい（第二振動付与工程）。これにより、炭酸水素ナトリウムを水に溶けやすくする効果が得られるとともに、形成された水溶液に汚れを溶かし込みやすくすることができ、土砂類等の目詰まり物を溶かし込んだ水溶液を、効果的に排出することが可能となる。これら第一振動付与工程および第二振動付与工程は、所望に応じ、双方併せて行っても、一方のみを行ってもよい。また、この際の振動付与の方法としては、特に制限されるものではないが、例えば、電磁コイル式のバイブレーターを用いる方法や、超音波を活用する方法などが挙げられる。
【００２１】
上記散水工程または第二振動付与工程後には、壊砕された土砂および舗装内部に滞留した洗浄水を、吸引装置により回収する（最終工程）。これにより、舗装内部に詰まった土砂類を確実に除去して、透水性舗装または排水性舗装の機能を回復することができる。回収した炭酸水素ナトリウム水溶液は、分別することにより再利用が可能であるが、ｐＨ８．２程度の微弱アルカリ性であって環境に有害な物質を含まないため、そのまま放出しても自然界に悪影響を及ぼすものではない。むしろ、昨今の酸性化した湖沼などの水質改善に、アルカリによる中和処理が行われた例もあり、酸性雨や排気ガスによるコンクリート構造物（コンクリート路盤）への中性化による劣化防止にも効果的であると考えられる。なお、吸引装置としては、特に制限されるものではなく、従来公知の装置を適宜用いることが可能である。
【００２２】
さらに、本発明においては、散水工程を水または温水の高圧噴射により行うことで、高圧水（温水）による洗浄効果も相乗的に得ることができ、より有効である。
【００２３】
また、本発明の他の実施形態としては、透水性舗装または排水性舗装表面に、炭酸水素ナトリウムまたは薬剤の水溶液を直接散布する方法も用いることができ、この場合、この水溶液自体の持つ洗浄効果により舗装内部の土砂類を除去することで、舗装機能の回復を図ることができる。この実施形態においても、前述の場合と同様、炭酸水素ナトリウムまたは薬剤の水溶液の散布後に、舗装または排水性舗装の路盤に振動を与えることができ、これにより、水溶液に汚れを溶かし込みやすくし、目詰まり物を溶かし込んだ水溶液を効率良く排出できるなどの効果を得ることができる。また、壊砕された土砂および舗装内部に滞留した洗浄水についても、前述の場合と同様に、最終的に吸引装置により回収すればよい。
【００２４】
なお、本発明の機能回復方法の実際の施工には、上記一連の工程を実施するための装置等を一体化して、車両に搭載することにより行うこともでき、この場合、コンパクトな装置により、効率的な作業を行うことが可能である。